(57)【要約】【課題】  光心線接続変更作業を容易かつ迅速に行うと共に煩雑化・複雑化する光ファイバネットワークの設備保守・運用管理の効率化する。【解決手段】  アクティブ光クロージャ２は、複数の光ファイバケーブル４の光心線５が接続される光スイッチ２０と、光スイッチ２０における光心線５，５間の接続を切り替えると共に監視制御装置と通信可能に接続される光スイッチ制御部２１と、ネットワークアドレス自動取得手段とを有し、光スイッチ制御部２１は、自動取得したネットワークアドレスを用いて監視制御装置と通信し、監視制御装置からの制御信号に基づき光スイッチ２０における光心線５，５間の接続を切り替える処理と、光スイッチ２０における光心線５，５間の接続状態を監視制御装置に通知する処理とを実行する。【選択図】        図１
2005292447.tif 000002
【特許請求の範囲】
【請求項１】
複数の光心線を束ねてなる光ファイバケーブルの分岐個所または延長個所に用いられる光クロージャにおいて、少なくとも２本の前記光ファイバケーブルに属する前記光心線が接続される光スイッチと、前記光スイッチにおける前記光心線間の接続を切り替えると共に監視制御装置と通信可能に接続される光スイッチ制御部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行することを特徴とするアクティブ光クロージャ。
【請求項２】
複数の光心線を収容する光配線盤において、複数の前記光心線が接続される光スイッチと、前記光スイッチにおける前記光心線間の接続を切り替えると共に監視制御装置と通信可能に接続される光スイッチ制御部と、前記光スイッチに接続されている前記光心線の中から選択された試験対象光心線に試験用光信号を送信する処理または前記試験対象光心線から試験用光信号を受信する処理の一方または双方を実行する光試験部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行し、前記光試験部は、前記ネットワークアドレス自動取得手段により取得したネットワークアドレスを用いて前記監視制御装置と通信し、前記監視制御装置からの制御信号に基づき前記試験用光信号を送信または受信する処理と、試験結果を前記監視制御装置に通知する処理とを実行することを特徴とするアクティブ光配線盤。
【請求項３】
複数の光心線を束ねてなる光ファイバケーブルと、前記光ファイバケーブルの分岐個所または延長個所に用いられる光クロージャとを有する光通信システムにおいて、前記光ファイバケーブルの管理データが記録される監視制御装置を備え、前記光クロージャは、少なくとも２本の前記光ファイバケーブルに属する前記光心線が接続される光スイッチと、前記光スイッチにおける前記光心線間の接続を切り替えると共に前記監視制御装置と通信可能に接続される光スイッチ制御部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行し、前記監視制御装置は通知された前記光心線間の接続状態に基づき前記管理データを更新することを特徴とする光通信システム。
【請求項４】
請求項２記載のアクティブ光配線盤をさらに有することを特徴とする請求項３記載の光通信システム。
【発明の詳細な説明】
【技術分野】
【０００１】
本発明は、光ファイバネットワークに関する。さらに詳述すると、本発明は、光ファイバネットワークの構成要素である光クロージャおよび光配線盤に関する。
【背景技術】
【０００２】
複数の光ファイバ（単一の光ファイバを光心線とも呼ぶ。）を束ねてなる光ファイバケーブルの分岐個所または延長個所に用いられる従来の光クロージャの内部では、突き合わせられた光心線同士が融着により接続されている（例えば特許文献１参照）。一方、従来の光配線盤には、抜き差し可能な光コネクタにより光ファイバが接続される。尚、光配線盤は一般に光ファイバの集まる局所に用いられ、光クロージャよりも多くの光ファイバを収容するため比較的大型の装置であるのに対し、光クロージャは一般に柱上に設置されるため比較的小型の装置である。
【０００３】
【特許文献１】特開２００１ー２０８９２０号
【発明の開示】
【発明が解決しようとする課題】
【０００４】
インターネットの爆発的な普及、情報通信技術の活用およびブロードバンド化（すなわち通信の高速化・大容量化）の進展に伴い、これらの基盤となる光ファイバネットワークの重要性が高まっており、その高信頼度化が求められている。一方、光ファイバネットワークが面的に拡大するのに伴い、道路拡幅工事や無電柱化工事などにより光ファイバケーブルの移設の必要が生じ、光ファイバケーブルの切替停止作業が増加している。
【０００５】
しかしながら、従来の光クロージャでは、光ファイバケーブルの移設などにより光心線の接続変更の必要が生じた場合、その都度、作業者が光クロージャが設置された現場まで赴いて、既に融着された光心線同士を切断し、切り替えるべき光心線同士を融着し直す作業が必要となる。光ファイバが伝える光信号の必要品質を保つためには極めて正確に光心線同士を融着する必要がありμｍ単位の作業が必要となるため、専用の装置そして専門の技術者が必要となる。また、光心線の融着接続が正確に行われたかを確認する試験を行う必要もある。加えて、上記光心線の接続変更作業に伴い交通規制等が必要になる場合もあり、その手続きに時間がかかる上、上記光心線の接続変更作業は例えば夜間・深夜といった交通などに影響の少ない時間帯に制約される等々、作業効率および作業性が極めて悪い。さらに、上記作業開始から終了まである程度の時間を要し、その間、接続変更対象の光心線を経由する光伝送路は使用不能の状態となってしまっている。この回線停止状態を回避するためにはノード側で冗長構成をとらなければならない。
【０００６】
一方、従来の光配線盤では、光コネクタの抜き差しによって光心線の接続変更を行えるため上記光クロージャよりは作業は容易であるが、作業者が光配線盤が設置された現場まで出向く必要がある。また、光心線の接続切替作業が正確に行われたかを確認する試験を行う必要もある。
【０００７】
さらに、光ファイバネットワークの回線構成管理のために、膨大な数の光クロージャや光配線盤について、常に最新の光心線接続データを管理しておく必要があるが、上記のように光ファイバネットワークの拡大に伴って光心線接続切替作業が多発していることから、光心線接続データの迅速な変更が困難となっており、光ファイバネットワークの設備保守・運用管理が極めて煩雑化・複雑化してしまっている。
【０００８】
そこで本発明は、光心線接続変更作業を容易かつ迅速に行える光クロージャおよび光配線盤および光通信システムを提供することを目的とする。また、本発明は、煩雑化・複雑化する光ファイバネットワークの設備保守・運用管理の効率化を実現する光クロージャおよび光配線盤および光通信システムを提供することを目的とする。
【課題を解決するための手段】
【０００９】
かかる目的を達成するため、請求項１記載の発明は、複数の光心線を束ねてなる光ファイバケーブルの分岐個所または延長個所に用いられる光クロージャにおいて、少なくとも２本の前記光ファイバケーブルに属する前記光心線が接続される光スイッチと、前記光スイッチにおける前記光心線間の接続を切り替えると共に監視制御装置と通信可能に接続される光スイッチ制御部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行するようにしている。
【００１０】
また、請求項２記載の発明は、複数の光心線を収容する光配線盤において、複数の前記光心線が接続される光スイッチと、前記光スイッチにおける前記光心線間の接続を切り替えると共に監視制御装置と通信可能に接続される光スイッチ制御部と、前記光スイッチに接続されている前記光心線の中から選択された試験対象光心線に試験用光信号を送信する処理または前記試験対象光心線から試験用光信号を受信する処理の一方または双方を実行する光試験部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行し、前記光試験部は、前記ネットワークアドレス自動取得手段により取得したネットワークアドレスを用いて前記監視制御装置と通信し、前記監視制御装置からの制御信号に基づき前記試験用光信号を送信または受信する処理と、試験結果を前記監視制御装置に通知する処理とを実行するようにしている。
【００１１】
また、請求項３記載の発明は、複数の光心線を束ねてなる光ファイバケーブルと、前記光ファイバケーブルの分岐個所または延長個所に用いられる光クロージャとを有する光通信システムにおいて、前記光ファイバケーブルの管理データが記録される監視制御装置を備え、前記光クロージャは、少なくとも２本の前記光ファイバケーブルに属する前記光心線が接続される光スイッチと、前記光スイッチにおける前記光心線間の接続を切り替えると共に前記監視制御装置と通信可能に接続される光スイッチ制御部と、ネットワークアドレス自動取得手段とを有し、前記光スイッチ制御部は、前記ネットワークアドレス自動取得手段により取得したネットワークアドレスを用いて前記監視制御装置と通信し、前記監視制御装置からの制御信号に基づき前記光スイッチにおける前記光心線間の接続を切り替える処理と、前記光スイッチにおける前記光心線間の接続状態を前記監視制御装置に通知する処理とを実行し、前記監視制御装置は通知された前記光心線間の接続状態に基づき前記管理データを更新するようにしている。
【００１２】
また、請求項４記載の発明は、請求項３記載の光通信システムにおいて請求項２記載のアクティブ光配線盤をさらに有するものとしている。
【００１３】
したがって、アクティブ光クロージャやアクティブ光配線盤の新設時に、光スイッチ制御部および光試験部と監視制御装置との間の通信に必要なネットワークアドレスが自動的に設定され、当該アドレス設定後には、光スイッチ制御部および光試験部は、監視制御装置と通信可能になる。即ち、アクティブ光クロージャおよびアクティブ光配線盤においていわゆるプラグ＆プレイ機能が実現される。そして、監視制御装置による遠隔制御によりアクティブ光クロージャやアクティブ光配線盤の光スイッチを操作できるので、光心線の接続変更を容易かつ迅速に行うことができる。また、光スイッチにおける光心線の接続切替に関する情報は、監視制御装置に通知されるため、監視制御装置では、光ファイバネットワークの回線構成を自動且つリアルタイムで更新することができる。さらに、アクティブ光配線盤が備える光試験部によって、光ファイバネットワークの任意の光伝送路に対する試験（例えば心線対照試験、光損失試験、光パルス試験など）が可能となる。
【発明の効果】
【００１４】
本発明のアクティブ光クロージャおよびアクティブ光配線盤および光通信システムによれば、光ファイバケーブルの移設などにより光心線の接続変更の必要が生じた場合でも、作業者が光クロージャまたは光配線盤が設置された現場まで出向することなく、光心線の接続変更対象となるアクティブ光クロージャまたはアクティブ光配線盤に対して、遠隔操作により光心線の接続変更を行うことが可能となり、作業の大幅な効率化および迅速化が可能となる。また、労力や時間を要する光心線の融着作業は不要となり、光スイッチによる高速切替が可能となるため、回線停止時間の大幅な短縮化、回線開通の迅速化を実現できる。また、光心線の接続変更に伴う回線停止状態を回避するためにノード側で冗長構成をとる必要もなくなる。また、光スイッチにより光レベルで切替を行うため、光心線の両端に接続されるノードの種類、例えばビットレート、プロトコルや波長などに依存することがない。
【００１５】
また、アクティブ光クロージャおよびアクティブ光配線盤はプラグ＆プレイ機能を備えているため煩雑なネットワーク設定は不要であり、且つ、光心線の接続状態に関する情報は、監視制御装置に通知されるため、監視制御装置では、光ファイバネットワークの回線構成を自動且つリアルタイムで更新することが可能となる。したがって、光ファイバネットワークがさらに拡大し、光クロージャや光配線盤の数が益々膨大となっても、光ファイバネットワークの設備保守・運用管理を効率的に行うことが可能となる。
【００１６】
さらに、回線開通時や光心線の接続切替後などの必要に応じて適宜、アクティブ光配線盤を遠隔制御することにより、光ファイバネットワークの任意の光伝送路に対して、心線対照試験、光損失試験、光パルス試験などの試験を遠隔より行い、且つその結果を当該遠隔地にて確認することが可能となる。
【発明を実施するための最良の形態】
【００１７】
以下、本発明の構成を図面に示す実施形態に基づいて詳細に説明する。
【００１８】
図１から図８に本発明のアクティブ光クロージャおよびアクティブ光配線盤および光通信システムの実施の一形態を示す。
【００１９】
この光通信システムは、例えば図３に示すように、複数の光ファイバケーブル４と、光ファイバケーブル４の分岐個所または延長個所に用いられるアクティブ光クロージャ２と、複数の光心線５を収容するアクティブ光配線盤３と、アクティブ光クロージャ２およびアクティブ光配線盤３を監視し制御する監視制御装置６とを有し、アクティブ光ファイバネットワーク１を構成している。尚、アクティブ光ファイバネットワーク１には、従来の光ファイバネットワークに用いられるノード装置７、例えば光信号伝送装置や光信号処理装置、具体的には光・電気信号変換機あるいはＴＤＭ（Time Division Multiplexing：時分割多重）やＷＤＭ（Wavelength Division Multiplexing：波長分割多重）などの多重化装置などが含まれていても良い。尚、各光ファイバケーブル４には複数の光心線５が収容されている。光心線５および光ファイバケーブル４の構造等は特に限定されるものでなく既存の又は新規のものを採用してよい。
【００２０】
アクティブ光クロージャ２は、例えば図１に示すように、少なくとも２本の光ファイバケーブル４に属する光心線５が接続される光スイッチ２０と、光スイッチ２０における光心線５，５間の接続を切り替えると共に監視制御装置６と通信可能に接続される光スイッチ制御部２１と、ネットワークアドレス自動取得手段とを有している。
【００２１】
アクティブ光配線盤３は、例えば図２に示すように、複数の光心線５が接続される光スイッチ２０と、光スイッチ２０における光心線５，５間の接続を切り替えると共に監視制御装置６と通信可能に接続される光スイッチ制御部２１と、光スイッチ２０に接続されている光心線５の中から選択された試験対象光心線に試験用光信号を送信する処理または試験対象光心線から試験用光信号を受信する処理の一方または双方を実行する光試験部３４と、ネットワークアドレス自動取得手段とを有している。
【００２２】
アクティブ光クロージャ２およびアクティブ光配線盤３が備える光スイッチ制御部２１は、ネットワークアドレス自動取得手段により取得したネットワークアドレスを用いて監視制御装置６と通信し、監視制御装置６からの制御信号に基づき光スイッチ２０における光心線５，５間の接続を切り替える処理と、光スイッチ２０における光心線５，５間の接続状態を監視制御装置６に通知する処理とを実行する。
【００２３】
アクティブ光配線盤３が備える光試験部３４は、ネットワークアドレス自動取得手段により取得したネットワークアドレスを用いて監視制御装置６と通信し、監視制御装置６からの制御信号に基づき試験用光信号を送信または受信する処理と、試験結果を監視制御装置６に通知する処理とを実行する。
【００２４】
アクティブ光クロージャ２およびアクティブ光配線盤３に搭載される光スイッチ２０は、それぞれ例えば図６に示すように、複数の１次ポート８ａの群と、複数の２次ポート８ｂの群とを有している。光スイッチ２０は、任意の１次ポート８ａと任意の２次ポート８ｂとを接続可能であり、任意の１次ポート８ａに接続された光心線５から入力される光信号を、電気信号に変換することなく、任意の２次ポート８ｂに接続された光心線５に送出することができる。尚、１次ポート８ａ側から光信号が入力され２次ポート８ｂ側から当該光信号が出力される場合のみならず、２次ポート８ｂ側から光信号が入力され１次ポート８ａ側から当該光信号が出力される場合もある。このような光スイッチ２０として、例えば大規模化・低挿入損失化・小型化が進む三次元ＭＥＭＳ（Micro Electro Mechanical System）光スイッチを利用することが好ましい。光クロージャ２は一般に柱上に設置されるため小型であることが望ましく、小型の三次元ＭＥＭＳ光スイッチ２０を光クロージャ２内に組み込むことで、アクティブ光クロージャ２の大型化を防ぐことができる。
【００２５】
アクティブ光クロージャ２およびアクティブ光配線盤３が備えるネットワークアドレス自動取得手段として、例えば本実施形態ではプラグ＆プレイ機能を備えるＩＰｖ６（Internet Protocol version 6）を利用している。このため本実施形態のアクティブ光クロージャ２およびアクティブ光配線盤３は、ＩＰｖ６に基づく通信を実現する図示しないハードウェア回路（ＩＰｖ６チップ）を備えている。アクティブ光クロージャ２では、光スイッチ制御部２１にＩＰｖ６チップが搭載されている。また、アクティブ光配線盤３では、光スイッチ制御部２１と光試験部３４のそれぞれにＩＰｖ６チップが搭載されている。ただし、アクティブ光配線盤３において、光スイッチ制御部２１と光試験部３４のそれぞれにＩＰｖ６チップを備える構成には必ずしも限定されず、例えば光スイッチ制御部２１と光試験部３４との機能を統合した回路に単一のＩＰｖ６チップを搭載する構成としても構わない。
【００２６】
監視制御装置６は、例えば１台または複数台のコンピュータで構成され、当該コンピュータが備える図示しない記憶装置（例えばハードディスク）に、光ファイバケーブル４の管理データが記録される。また、アクティブ光クロージャ２の光スイッチ制御部２１およびアクティブ光配線盤３の光スイッチ制御部２１と光試験部３４と、監視制御装置６との間には、１台または複数台の中継装置９が介在している。この中継装置は、例えば本実施形態ではＩＰｖ６によるプラグ＆プレイ機能を実行するＩＰｖ６ルータ９である。
【００２７】
さらに、アクティブ光クロージャ２には、ＯＳＩ（Open System Interconnection：開放型システム間相互接続）参照モデルにおけるレイヤ２（データリンク層）にあたる処理を行うＬ２スイッチ２２が組み込まれており、アクティブ光クロージャ２の光スイッチ制御部２１は、Ｌ２スイッチ２２を介してＩＰｖ６ルータ９に接続される。また、アクティブ光配線盤３にもＬ２スイッチ２２が組み込まれており、アクティブ光配線盤３の光スイッチ制御部２１と光試験部３４は、Ｌ２スイッチ２２を介してＩＰｖ６ルータ９と接続される。尚、図２に示す例では、アクティブ光配線盤３には２つのＬ２スイッチ２２が組み込まれ、光スイッチ制御部２１と光試験部３４は、それぞれ別のＬ２スイッチ２２を介してＩＰｖ６ルータ９と接続されるように構成されているが、この構成例には必ずしも限定されず、共通の１つのＬ２スイッチ２２を介して、アクティブ光配線盤３の光スイッチ制御部２１と光試験部３４とがＩＰｖ６ルータ９と接続されるように構成しても良い。
【００２８】
尚、本実施形態において、アクティブ光クロージャ２が備える光スイッチ２０と、アクティブ光配線盤３が備える光スイッチ２０とを、特に区別する場合には、アクティブ光クロージャ２が備える光スイッチ２０を符号２０ａで表記し、アクティブ光配線盤３が備える光スイッチ２０を符号２０ｂで表記する。また、アクティブ光クロージャ２が備える光スイッチ制御部２１と、アクティブ光配線盤３が備える光スイッチ制御部２１とを、特に区別する場合には、アクティブ光クロージャ２が備える光スイッチ制御部２１を符号２１ａで表記し、アクティブ光配線盤３が備える光スイッチ制御部２１を符号２１ｂで表記する。また、アクティブ光クロージャ２が備えるＬ２スイッチ２２と、アクティブ光配線盤３が備えるＬ２スイッチ２２とを、特に区別する場合には、アクティブ光クロージャ２が備えるＬ２スイッチ２２を符号２２ａで表記し、アクティブ光配線盤３が備えるＬ２スイッチ２２を符号２２ｂで表記する。
【００２９】
監視制御装置６、ＩＰｖ６ルータ９、Ｌ２スイッチ２２ａ，２２ｂ、光スイッチ制御部２１ａ，２１ｂ、光試験部３４をノードとして、これらのノード間が通信可能に接続されて、制御用ネットワーク（コントロールプレーン）１０が構成される。図３には、アクティブ光ファイバネットワーク１と共に、制御用ネットワーク１０の概念図を併せて示している。制御用ネットワーク１０のノード間を接続する制御用通信線１１には、光ファイバケーブル４の複数の光心線５の一部を利用してもよく、場合によっては光ファイバ以外の制御用通信線１１、例えばより対線や同軸ケーブルなどを利用しても良い。さらに、制御用ネットワーク１０のノード間の通信に無線通信技術を利用しても良い。また、制御用ネットワーク１０のノード間の接続に光心線５を利用する場合、１ルートあたり送信用および受信用として２本の光心線５を用いてもよく、ＷＤＭ等の多重化を行う場合には１ルートあたり１本の光心線５で双方向通信を行うようにしても良い。
【００３０】
アクティブ光クロージャ２やアクティブ光配線盤３の新設時に、光スイッチ制御部２１および光試験部３４は、Ｌ２スイッチ２２を介して制御用ネットワーク１０に接続され、ＩＰｖ６ルータ９から通知されるネットワーク情報とＩＰｖ６チップが持っているインタフェースＩＤに基づいてＩＰアドレスを自動生成する。これにより、光スイッチ制御部２１および光試験部３４のＩＰアドレスの設定が自動で行われる。そして、当該ＩＰアドレスの自動設定後には、光スイッチ制御部２１および光試験部３４は、監視制御装置６とＩＰ技術に基づく通信を行える。従って人手によるＩＰアドレスの設定は不要となる。但し、ＩＰｖ６が備えるプラグ＆プレイ機能によってＩＰアドレスを自動設定する構成に必ずしも限らず、必要に応じて特定のＩＰアドレスを人的に設定しても良い。例えば、光配線盤３の設置場所は通常有人であるため、光配線盤３のＩＰアドレスを人手により特定のアドレスに設定しても良い。この場合、監視制御装置６に通知される制御用ネットワーク１０の各ノードのＩＰアドレスのうちのどのアドレスがアクティブ光配線盤３に属するものか容易に判別できる。
【００３１】
また、例えば本実施形態における監視制御装置６は、ネットワーク構成の自動認識機能を備えており、制御用ネットワーク１０の構成を自動的に認識できるようにしている。例えば監視制御装置６がＬ２スイッチ２２の存在を認識できるように、Ｌ２スイッチ２２はＩＰｖ６の機能を備えている。従って、各Ｌ２スイッチ２２も制御用ネットワーク１０への接続時にプラグ＆プレイ機能によってＩＰアドレスが自動設定され、監視制御装置６と通信可能となる。例えばネットワークに接続されている機器のＩＰアドレス等の情報を要求するパケット（例えばARP（Address Resolution Protocol）リクエストパケット）を、監視制御装置６がブロードキャストで制御用ネットワーク１０に送信することで、そのレスポンスにより制御用ネットワーク１０に存在するすべてのＩＰ機器（ＩＰｖ６ルータ９、光スイッチ制御部２１、光試験部３４）のＩＰアドレス等の情報を監視制御装置６が取得でき、さらに宛先ＩＰアドレスまで経由する中継装置（ＩＰｖ６ルータ９、Ｌ２スイッチ２２）を調べるコマンド（例えば「traceroute」コマンド）を、上記取得した全ＩＰアドレスに対して監視制御装置６が実行することで、制御用ネットワーク１０のノード間の接続構成（ネットワークトポロジー）を認識することが可能である。
【００３２】
図７はアクティブ光ファイバネットワーク１の一部の概略図を示す。尚、説明の簡単のためにアクティブ光クロージャ２を幾つか省略して示している。本実施形態では、アクティブ光配線盤３のＬ２スイッチ２２ｂに、ＩＰｖ６ルータ９を接続している。また、アクティブ光配線盤３のＬ２スイッチ２２ｂに接続されるＩＰｖ６ルータ９は、例えば光ファイバケーブル４の光心線５の一部を利用し、Ｌ２スイッチ２２を経由して、他のＩＰｖ６ルータ９に接続される。複数のＩＰｖ６ルータ９の中の１つに監視制御装置６が接続される。図７に示すアクティブ光配線盤３のＬ２スイッチ２２ｂは、例えば４つのアクティブ光クロージャ２の各Ｌ２スイッチ２２ａに接続され、上記４つのアクティブ光クロージャ２のうちの１つのＬ２スイッチ２２ａはさらに２つのアクティブ光クロージャ２の各Ｌ２スイッチ２２ａに接続されている。ここで、監視制御装置６が接続されるＩＰｖ６ルータ９のＩＰアドレスをＩＰ０とし、このＩＰｖ６ルータ９と接続するアクティブ光配線盤３のＬ２スイッチ２２ｂのＩＰアドレスをＩＰ−Ｌ１とし、このアクティブ光配線盤３のＬ２スイッチ２２ｂと接続する４つのアクティブ光クロージャ２の各Ｌ２スイッチ２２ａのＩＰアドレスをＩＰ−Ｌ２，ＩＰ−Ｌ３，ＩＰ−Ｌ６，ＩＰ−Ｌ７とし、ＩＰ−Ｌ３のＬ２スイッチ２２ａと接続する２つのアクティブ光クロージャ２の各Ｌ２スイッチ２２ａのＩＰアドレスをＩＰ−Ｌ４，ＩＰ−Ｌ５とする。また、ＩＰアドレスがそれぞれＩＰ−Ｌ１，ＩＰ−Ｌ２，ＩＰ−Ｌ３，ＩＰ−Ｌ４，ＩＰ−Ｌ５，ＩＰ−Ｌ６，ＩＰ−Ｌ７となるＬ２スイッチ２２と接続する光スイッチ制御部２１のＩＰアドレスをそれぞれＩＰ１，ＩＰ２，ＩＰ３，ＩＰ４，ＩＰ５，ＩＰ６，ＩＰ７とする。この場合、監視制御装置６では図８に示すようなツリー状のネットワークトポロジーを認識する。このツリーの末端にあたるノードが光スイッチ制御部２１であり、末端ノードの真上のノードがＬ２スイッチ２２であり、それ以外のノード（換言すればルート（根）となるノード）がＩＰｖ６ルータ９である。また、ルートとなるＩＰｖ６ルータ９のノードから最も近い末端ノードがアクティブ光配線盤３の光スイッチ制御部２１ｂとなり、それ以外の同じルート（根）に属する末端ノードはアクティブ光クロージャ２の光スイッチ制御部２１ａとなる。本実施形態の監視制御装置６は上記のツリー状ネットワークトポロジーを認識し、且つこのツリーの末端ノードを探し出して、アクティブ光配線盤３の光スイッチ制御部２１ｂのＩＰアドレス、各アクティブ光クロージャ２の光スイッチ制御部２１ａのＩＰアドレスを認識する機能を有する。尚、光配線盤３の設置場所は通常有人であるため、アクティブ光配線盤３のＩＰアドレスを人手により特定のアドレスに設定しても良い。この場合、監視制御装置６が認識する上記ツリー上のＩＰアドレスのうちのどのアドレスがアクティブ光配線盤３の光スイッチ制御部２１ｂに属するものか容易に判別できる。
【００３３】
ここで、Ｌ２スイッチ２２を経由してＩＰｖ６ルータ９，９間が接続される場合、当該経由するＬ２スイッチ２２およびそのＬ２スイッチ２２に接続される光スイッチ制御部２１は複数のルータ９と接続されることとなる。Ｌ２スイッチ２２や光スイッチ制御部２１の電源がオンになるとＩＰｖ６のプラグ＆プレイ機能に基づき当該Ｌ２スイッチ２２や光スイッチ制御部２１は接続要求を制御用ネットワーク１０上に自動的に伝送する。この接続要求に対し、複数のルータ９が応答を返す可能性がある。Ｌ２スイッチ２２や光スイッチ制御部２１では先に到着した応答に基づいてＩＰアドレスを設定する。尚、複数のルータ９からの返送情報が衝突してアドレス設定に失敗する場合も考えられるが、失敗した場合にはＬ２スイッチ２２や光スイッチ制御部２１は成功するまで何度でも接続要求を繰り返す。どのＩＰｖ６ルータ９に接続されてもＩＰアドレスの自動設定は可能であり、ＩＰアドレスが設定できれば、上述したネットワークトポロジーは認識できる。但し、ＩＰｖ６ルータ９，９間の接続はＬ２スイッチ２２を介する構成には限らず、ＩＰｖ６ルータ９，９間を制御用通信線１１により直接接続しても良い。
【００３４】
尚、コンピュータなどのＩＰ端末およびスイッチングハブなどのＬ２スイッチおよびルータなどの中継装置の接続構成を自動認識する既存のネットワーク監視ツール（例えばヒューレット  パッカード社製のOpen Viewなど）を監視制御装置６としてのコンピュータに実装することによって、制御用ネットワーク１０の自動認識機能を実現することも可能である。ネットワーク監視ツールによって監視制御装置６がＬ２スイッチ２２の存在を認識できる場合、上記のようにＬ２スイッチ２２にＩＰｖ６の機能を備える必要は必ずしも無い。この場合、上記制御用ネットワーク１０の構成と、光ファイバケーブル４およびアクティブ光クロージャ２およびアクティブ光配線盤３により構成される光ファイバネットワーク１の構成とを対応付けることが可能であるように、制御用ネットワーク１０を構築することが好ましい。これにより、制御用ネットワーク１０の構成が自動認識されることにより、必然的に光ファイバネットワーク１の構成も自動認識されるようにできる。具体的には、例えば監視制御装置６に対するＩＰｖ６ルータ９の位置付け及び当該ＩＰｖ６ルータ９に対するＬ２スイッチ２２の位置付けにより、当該Ｌ２スイッチ２２が光ファイバネットワーク１におけるどのアクティブ光クロージャ２又はどのアクティブ光配線盤３に属するものか認識できるようにする。例えば、隣接する２つのアクティブ光クロージャ２および隣接するアクティブ光クロージャ２とアクティブ光配線盤３に属する２つのＬ２スイッチ２２，２２間を制御用通信線１１で接続して、１つのＩＰｖ６ルータ９に属するＬ２スイッチ２２の群がチェーン式に接続されるものとする。また、光ファイバネットワーク１における分岐点におけるアクティブ光クロージャ２に属するＬ２スイッチ２２ａには、他のアクティブ光クロージャ２またはアクティブ光配線盤３に属する３つ以上のＬ２スイッチ２２が制御用通信線１１で接続され、Ｌ２スイッチ２２の群が成すチェーンの列も分岐するものとする。また、１つのＩＰｖ６ルータ９に属するＬ２スイッチ２２の群が成すチェーンの列の最も基端または末端に位置するＬ２スイッチ２２が、アクティブ光配線盤３に属するＬ２スイッチ２２ｂであるものとする。
【００３５】
尚、あるアクティブ光クロージャ２又はアクティブ光配線盤３のＬ２スイッチ２２に引き込まれる制御用通信線１１が、他のアクティブ光クロージャ２又はアクティブ光配線盤３の光スイッチ２０を経由して、監視制御装置６に接続される場合もある。例えば図５に示すように、アクティブ光クロージャ２Ａとアクティブ光クロージャ２Ｂが光ファイバケーブル４Ａと光ファイバケーブル４Ｂとで接続されているとする。アクティブ光クロージャ２Ｂの光スイッチ制御部２１は、光ファイバケーブル４Ａの光心線５の一部を制御用通信線１１として利用し、且つアクティブ光クロージャ２Ａの光スイッチ２０を経由して監視制御装置６に接続されているとする。光ファイバケーブル４Ａが移設や障害などの事由により停止し、光ファイバケーブル４Ａで使用されていた光心線５を光ファイバケーブル４Ｂの未使用の光心線５に切り替える必要が生じたとする。アクティブ光クロージャ２Ａの光スイッチ２０に対して上記切替操作を行うと、その切替操作に伴い、アクティブ光クロージャ２Ｂの光スイッチ制御部２１と監視制御装置６との接続に使用されていた制御用通信線１１が切断されて、アクティブ光クロージャ２Ｂの光スイッチ２０に対する上記切替操作が行えない虞がある。かかる事態を回避するため、本実施形態では、光ファイバケーブル４Ｂの光心線５の一部も制御用通信線１１として利用している。即ち、アクティブ光クロージャ２ＢのＬ２スイッチ２２には、光ファイバケーブル４Ａに属する制御用通信線１１と光ファイバケーブル４Ｂに属する制御用通信線１１の双方が引き込まれている。従って、光ファイバケーブル４Ａが停止しても、アクティブ光クロージャ２Ｂの光スイッチ制御部２１は、光ファイバケーブル４Ｂに属する制御用通信線１１を利用して監視制御装置６と通信可能であるため、アクティブ光クロージャ２Ｂの光スイッチ２０に対する遠隔操作が可能となる。尚、上記のように制御用通信線１１が切り替わる場合でも、アクティブ光クロージャ２Ｂの光スイッチ制御部２１が接続するＩＰｖ６ルータ９が変更されることのないように、制御用ネットワーク１０を構築することが望ましい。
【００３６】
監視制御装置６には、光ファイバケーブル４の管理データとして、「どの光ファイバケーブル４のどの光心線５が、どのアクティブ光クロージャ２またはどのアクティブ光配線盤３の、どのポート８に接続されている」との情報が記録される。例えば本実施形態では、各光ファイバケーブル４に識別番号を付与すると共に、各光心線５にも識別番号を付与している。また、光スイッチ制御部２１には、光スイッチ２０の各ポート８に接続される光心線５の心線番号および当該光心線５が属する光ファイバケーブル４のケーブル番号を設定する図示しないスイッチ（例えばジャンパスイッチなど）を備えている。そして、アクティブ光クロージャ２またはアクティブ光配線盤３の新設時に、作業者等は、設置現場にて上記ケーブル番号および心線番号の設定用スイッチを操作し、光スイッチ２０の各ポート８について「何番ケーブルの何番心線が接続されている」との情報を設定する。光スイッチ制御部２１では、光スイッチ２０の動作時に、光スイッチ２０の接続状態から「１次ポート８ａの何番と２次ポート８ｂの何番とが接続されている」との情報を認識すると共に、ケーブル番号および心線番号の設定用スイッチを読み取って、各ポート８に接続されている光心線５についてのケーブル番号および心線番号を認識し、光心線５，５間の接続状態を監視制御装置６に通知する。これにより、各アクティブ光クロージャ２および各アクティブ光配線盤３からは、監視制御装置６に対して、光心線５，５間の接続状態、例えば「何番ケーブルの何番心線が接続されている１次ポート８ａの何番と、何番ケーブルの何番心線が接続されている２次ポート８ｂの何番とが接続されている」との情報が通知される。尚、光心線５，５間の接続状態の通知は監視制御装置６からのリクエストに応じてなされるものであってもよく、または光スイッチ２０において光心線５，５間の接続が変更された場合に必ず行われるようにしてもよく、あるいは一定時間毎に行われるようにしてもよい。監視制御装置６は、各アクティブ光クロージャ２および各アクティブ光配線盤３から通知された光心線５，５間の接続状態を、通知元のＩＰアドレスに応じて、上記認識している制御用ネットワーク１０のトポロジーに当て嵌める。これにより、監視制御装置６によって光ファイバネットワーク１の構成（例えば図３に示すようなループ構成）が認識されるとともに光ファイバネットワーク１のすべての光心線５の接続状態が一元管理される。ここで、管理者等が視覚的に光ファイバネットワーク１の構成および光心線５の接続状態を把握できるように、監視制御装置６が備えるディスプレイなどの表示装置に、光ファイバネットワーク１の構成図および光心線５の接続状態を表示するようにしても良い。
【００３７】
尚、アクティブ光クロージャ２またはアクティブ光配線盤３の新設時に、作業者等が「何番の光ファイバケーブル４の何番の光心線５が光スイッチ２０の何番のポート８に接続されている」との情報を記録しておき、当該記録を管理データとして管理者等が監視制御装置６に入力するようにしても良い。この場合、上記のようなケーブル番号および心線番号の設定用スイッチを光スイッチ制御部２１に具備する必要はなく、各アクティブ光クロージャ２および各アクティブ光配線盤３は、監視制御装置６に対して、光心線５，５間の接続状態として、例えば「１次ポート８ａの何番と２次ポート８ｂの何番とが接続されている」との情報のみを通知する。監視制御装置６では、認識している光ファイバネットワーク１の構成と、入力された光ファイバケーブル４の管理データとを対応付けて管理するとともに、各アクティブ光クロージャ２および各アクティブ光配線盤３から通知された光心線５，５間の接続状態を、通知元のＩＰアドレスに応じて、上記認識している光ファイバネットワーク１に当て嵌める。この場合も、監視制御装置６によって光ファイバネットワーク１のすべての光心線５の接続状態が一元管理される。
【００３８】
また、例えば本実施形態では、各光心線５が未使用であるか否かの情報、換言すれば、その光心線５を利用するユーザが存在するか否かの情報、並びに光心線５を利用するユーザのＳＬＡ（Service Level Agreement）も、監視制御装置６において管理するようにしている。
【００３９】
図１は、アクティブ光クロージャ２の構成の一例を示すブロック図である。光スイッチ２０ａの１次ポート８ａ側には、少なくとも１本（図の例では２本）の光ファイバケーブル４に属する光心線５の群が接続される。光スイッチ２０ａの２次ポート８ｂ側にも、少なくとも１本（図の例では２本）の光ファイバケーブル４に属する光心線５の群が接続される。尚、各光ファイバケーブル４はそれぞれ多数の光心線５を有するが、各光ファイバケーブル４が有する光心線５の数は必ずしも同数である必要はない。また、１次ポート８ａ側に接続された光心線５の合計数と２次ポート８ｂ側に接続された光心線５の合計数とを一致させる必要も必ずしもない。
【００４０】
上記光スイッチ２０ａには光スイッチ制御部２１ａが接続され、光スイッチ制御部２１ａはＬ２スイッチ２２ａに接続されている。光スイッチ制御部２１ａには図示しないＩＰｖ６チップが搭載されている。Ｌ２スイッチ２２ａには、ＩＰｖ６ルータ９または他のアクティブ光クロージャ２またはアクティブ光配線盤３のＬ２スイッチ２２と接続するための制御用通信線１１が引き込まれている。尚、本実施形態では、アクティブ光クロージャ２の内部における光スイッチ制御部２１ａとＬ２スイッチ２２ａとの間の接続には１０ＢＡＳＥ−Ｔを用いており、Ｌ２スイッチ２２ａとアクティブ光クロージャ２の外部におけるＩＰｖ６ルータ９または他のアクティブ光クロージャ２またはアクティブ光配線盤３のＬ２スイッチ２２との間の接続には光ファイバケーブル４の光心線５の一部を利用した１００ＢＡＳＥ−ＦＸを用いている。また、アクティブ光クロージャ２内には、光スイッチ制御部２１ａおよびＬ２スイッチ２２ａに必要な電力を供給する電源部２３が備えられている。電源部２３は、電源ケーブル２４を介して、光スイッチ制御部２１ａおよびＬ２スイッチ２２ａに供給するための電力を外部より得る。
【００４１】
図２は、アクティブ光配線盤３の構成の一例を示すブロック図である。図示の例では、光スイッチ２０ｂの１次ポート８ａ側および２次ポート８ｂ側にそれぞれ４本の光ファイバケーブル４に属する光心線５の群が接続されている。光スイッチ２０には光スイッチ制御部２１ｂが接続され、光スイッチ制御部２１ｂはＬ２スイッチ２２ｂに接続されている。本実施形態の光試験部３４は、例えば、試験用光信号の送受信を行う光測定部３４ａと、この光測定部３４ａを制御する試験制御部３４ｂとで構成されている。光測定部３４ａは例えば試験用光信号の送受信用の光心線５’を有しており、この光心線５’を介して光スイッチ２０に接続される。また、光測定部３４ａには試験制御部３４ｂが接続され、試験制御部３４ｂは、光スイッチ制御部２１ｂが接続されるＬ２スイッチ２２ｂとは別のＬ２スイッチ２２ｂに接続されている。光スイッチ制御部２１ｂおよび試験制御部３４ｂにはそれぞれ図示しないＩＰｖ６チップが搭載されている。また、本実施形態においては、上述したようにアクティブ光配線盤３の各Ｌ２スイッチ２２ｂにＩＰｖ６ルータ９を接続しており、当該接続には１０ＢＡＳＥ−Ｔを用いている。また、アクティブ光配線盤３の内部における光スイッチ制御部２１ｂおよび試験制御部３４ｂと各Ｌ２スイッチ２２ｂとの間の接続にも１０ＢＡＳＥ−Ｔを用いている。また、各Ｌ２スイッチ２２ｂにはアクティブ光クロージャ２のＬ２スイッチ２２ａと接続するための制御用通信線１１が引き込まれており、当該接続には光ファイバケーブル４の光心線５の一部を利用した１００ＢＡＳＥ−ＦＸを用いている。尚、アクティブ光配線盤３のＬ２スイッチ２２ｂとＩＰｖ６ルータ９とを１０ＢＡＳＥ−Ｔなどにより直接接続する構成には必ずしも限らず、例えば光・電気信号変換機やＴＤＭ，ＷＤＭなどの光ネットワークのノード装置７を介在させても良く、この場合にはアクティブ光配線盤３のＬ２スイッチ２２ｂとＩＰｖ６ルータ９との接続に光ファイバケーブル４の光心線５の一部を利用して良い。また、アクティブ光配線盤３内には、光スイッチ制御部２１ｂ、光試験部３４、Ｌ２スイッチ２２ｂに必要な電力を供給する電源部３３が備えられている。尚、上述した１０ＢＡＳＥ−Ｔ等の具体的接続態様は一例であって１００ＢＡＳＥ−Ｔ等の他の接続態様であっても良いのは勿論である。
【００４２】
以上のように構成された光通信システムによれば、監視制御装置６により光スイッチ２０を遠隔制御して、例えば以下のように光心線５の接続変更を容易かつ迅速に行うことが可能である。
【００４３】
例えば、図３の矢印Ｘで指し示すように、ある光ファイバケーブル４Ｃが移設や障害などの事由により停止するとする。この場合は、光ファイバケーブル４Ｃを経由するルートに対する迂回ルート、即ち光ファイバケーブル４Ｃを経由することなく同一出発点から同一到着点に至るルートを探す。尚、当該迂回ルートの検索は、監視制御装置６が表示する光ファイバネットワーク１の構成図などに基づいて管理者等が行ってもよく、監視制御装置６が自動で行っても良い。図３の符号５０は検索された迂回ルートの例を示す。次に、光ファイバケーブル４Ｃを経由するルートと検索された迂回ルートとの分岐点および接続点にあたるアクティブ光クロージャ２Ｃ，２Ｄに対して、監視制御装置６は光心線５，５間の接続を切り替える指令を出す。即ち、監視制御装置６は、制御用ネットワーク１０を介し、アクティブ光クロージャ２Ｃ，２Ｄの光スイッチ制御部２１に対して、光ファイバケーブル４Ｃを経由し且つユーザに利用されていた光心線５への接続を、迂回ルートに該当し且つ未使用の光心線５への接続に、切り替える旨の制御信号を出す。尚、迂回ルートの途中にさらに光ファイバケーブル４の分岐点（図３中のアクティブ光クロージャ２Ｅ，２Ｆ，２Ｇ）がある場合、当該分岐点のアクティブ光クロージャ２Ｅ，２Ｆ，２Ｇにおける光スイッチ２０の接続状態によって、目的とする到着点に辿り着くように、光心線５，５間の接続を切り替える必要が生じる場合もある。その場合には監視制御装置６は、該当する光スイッチ制御部２１に対して光心線５，５間の接続を切り替える指令を出す。上記のように、光心線５単位での迂回を可能とするために、各光ファイバケーブル４には未使用の光心線５（換言すれば予備用の光心線５）を常備することが望ましい。図４はアクティブ光クロージャ２Ｃ付近を拡大した図である。
【００４４】
また、例えば将来使用予定のネットワーク装置４０を、アクティブ光配線盤３の光スイッチ２０に光心線５を介して接続しておき、且つ当該光心線５を未開通としておき、光回線開通予定日時に上記光心線５を開通するように当該アクティブ光配線盤３の光スイッチ制御部２１を監視制御装置６より遠隔操作することも可能である。
【００４５】
さらに、ユーザのＳＬＡの違いを考慮した処理も可能である。例えば、ある光ファイバケーブル４Ｄのある光心線５を高ＳＬＡユーザ４１が利用し、同じ光ファイバケーブル４Ｄの別の光心線５を低ＳＬＡユーザ４２が利用していたとし、図３の矢印Ｙで指し示すように、当該光ファイバケーブル４Ｄが移設や障害などの事由により停止するとする。高ＳＬＡユーザ４１に対しては、契約等で設定されたサービス品質が高いため、回線障害や工事などで通信途絶をしては困るので、上述したように迂回ルートに該当する未使用の光心線５への接続に、速やかに切り替える。図３の符号５１は検索された迂回ルートの例を示す。一方、低ＳＬＡユーザ４２に対しては、契約等で設定されたサービス品質は低いため、例えば移設工事が終了するまで又は回線障害が復旧するまで、回線停止状態となる。ただし、迂回ルートに未使用の光心線５の空きがある場合には、低ＳＬＡユーザ４２に対しても、迂回ルートに該当する未使用の光心線５への接続に切り替えることも可能である。また、高ＳＬＡユーザ４１に割り当てる迂回ルートの未使用光心線５が無い場合に、当該迂回ルートにおいて低ＳＬＡユーザ４２が利用している光心線５を、高ＳＬＡユーザ４１が利用するように切り替える（換言すれば低ＳＬＡユーザ４２が利用中の光心線５を高ＳＬＡユーザ４１が横取りする）ことも可能である。さらに例えば、ある光ファイバケーブル４のある光心線５を高ＳＬＡユーザ４１が利用し、同じ光ファイバケーブル４の別の光心線５を低ＳＬＡユーザ４２が利用していたとし、高ＳＬＡユーザ４１が利用している光心線５のみに障害があったような場合に、低ＳＬＡユーザ４２が利用している光心線５を高ＳＬＡユーザ４１が利用するように切り替えることも可能である。
【００４６】
以上に説明したすべての光心線５の接続切替に関する情報は、監視制御装置６に通知されるため、監視制御装置６では、光ファイバネットワーク１の回線構成を自動且つリアルタイムで更新することが可能である。尚、図３に示す制御用ネットワーク１０からアクティブ光ファイバネットワーク１に向かう一点鎖線の矢印は、矢印Ｘ，Ｙで示した光ファイバケーブル４の停止に対応して、監視制御装置６から該当するアクティブ光クロージャ２に対して制御を行う概念を示した線であり、物理的に存在する線ではない。
【００４７】
さらに、アクティブ光配線盤３が備える光試験部３４によって、光ファイバネットワーク１の任意の光伝送路に対する試験（例えば心線対照試験、光損失試験、光パルス試験など）が可能となる。当該試験は、例えば次のように行う。先ず、試験対象となる光伝送路および当該光伝送路の両端に位置する試験用光信号の送信側のアクティブ光配線盤３と、試験用光信号の受信側のアクティブ光配線盤３とが選択される。当該選択は、監視制御装置６が表示する光ファイバネットワーク１の構成図などに基づいて管理者等が行ってもよく、監視制御装置６が自動で行っても良い。尚、必要に応じて、試験用光信号の送信側および受信側にあたるアクティブ光配線盤３の間で、目的とする試験対象光伝送路が形成されるように、試験用光信号の送信側および受信側にあたるアクティブ光配線盤３の間に位置するアクティブ光クロージャ２の光スイッチ制御部２１に対し、光心線接続変更の指令を出す。次に、監視制御装置６は、試験用光信号の送信側および受信側にあたるアクティブ光配線盤３の光スイッチ制御部２１に対し、上記試験対象となる光伝送路を構成する光心線５と光測定部３４ａの光心線５’とを接続するように指令を出す。そして、監視制御装置６は、試験用光信号の送信側および受信側にあたるアクティブ光配線盤３の試験制御部３４ｂに対し、試験開始指令を出す。これにより、試験対象光伝送路の一端側にあたるアクティブ光配線盤３から試験用光信号が送出される。受信側の光試験部３４では、例えば一定時間内に試験用光信号を正常に受信できたか否かの情報、または受信した試験用光信号を解析した試験結果を表す情報を、監視制御装置６に通知する。尚、試験用光信号の送信または受信の一方を、専用の光ファイバ試験装置によって行うようにしても良い。
【００４８】
以上のように本発明によれば、光ファイバケーブル４の移設などにより光心線５の接続変更の必要が生じた場合でも、作業者が光クロージャ２または光配線盤３が設置された現場まで出向することなく、光心線５の接続変更対象となるアクティブ光クロージャ２またはアクティブ光配線盤３に対して、遠隔操作により光心線５の接続変更を行うことが可能となり、作業の大幅な効率化および迅速化が可能となる。また、労力や時間を要する光心線５の融着作業は不要となり、光スイッチ２０による高速切替が可能となるため、回線停止時間の大幅な短縮化、回線開通の迅速化を実現できる。また、光心線５の接続変更に伴う回線停止状態を回避するためにノード側で冗長構成をとる必要もなくなる。また、光スイッチ２０により光レベルで切替を行うため、光心線５の両端に接続されるノードの種類、例えばビットレート、プロトコルや波長などに依存することがない。
【００４９】
また、アクティブ光クロージャ２およびアクティブ光配線盤３はプラグ＆プレイ機能を備えているため煩雑なネットワーク設定は不要であり、且つ、光心線５の接続状態に関する情報は、監視制御装置６に通知されるため、監視制御装置６では、光ファイバネットワーク１の回線構成を自動且つリアルタイムで更新することが可能となる。したがって、光ファイバネットワーク１がさらに拡大し、光クロージャ２や光配線盤３の数が益々膨大となっても、光ファイバネットワーク１の設備保守・運用管理を効率的に行うことが可能となる。
【００５０】
さらに、回線開通時や光心線５の接続切替後などの必要に応じて適宜、アクティブ光配線盤３を遠隔制御することにより、光ファイバネットワーク１の任意の光伝送路に対して、心線対照試験、光損失試験、光パルス試験などの試験を遠隔より行い、且つその結果を当該遠隔地にて確認することが可能となる。
【００５１】
なお、上述の実施形態は本発明の好適な実施の一例ではあるがこれに限定されるものではなく、本発明の要旨を逸脱しない範囲において種々変形実施可能である。例えば光クロージャ２の大型化防止の観点から、上述の実施形態では光試験部３４をアクティブ光クロージャ２には搭載せず、アクティブ光配線盤３のみに搭載したが、場合によってはアクティブ光クロージャ２にも光試験部３４を搭載しても良い。この場合、隣接するアクティブ光クロージャ２，２間またはアクティブ光クロージャ２とアクティブ光配線盤３との間で、試験用光信号の送受を行うことにより、互いの光スイッチ２０のポート８が相手側の光スイッチ２０のどのポート８に接続されているか認識でき、且つこの情報を監視制御装置６に通知するようにできる。従って、上記情報を人間系により監視制御装置６へ入力する手間を省くことが可能となる。また、監視制御装置６の指令に従い任意のアクティブ光クロージャ２，２間またはアクティブ光配線盤３，３間またはアクティブ光クロージャ２とアクティブ光配線盤３との間における任意のポート８，８間で光接続テストを行えることから、当該光接続テストの結果と当該光接続テストを行ったノードのＩＰアドレスとに基づいて、制御用ネットワーク１０の構成と、光ファイバケーブル４およびアクティブ光クロージャ２およびアクティブ光配線盤３により構成される光ファイバネットワーク１の構成とを、自動的に対応付けることも可能となる。
【００５２】
また、複数本の光心線５から入力される光信号を１本の光心線５に多重化させる機能や、１本の光心線５から入力される光信号を複数本の光心線５に分岐させたり分配したりする機能を備える装置、例えば光カプラなどを、アクティブ光クロージャ２やアクティブ光配線盤３に更に備えるようにしても良い。
【図面の簡単な説明】
【００５３】
【図１】本発明のアクティブ光クロージャの構成の一例を示すブロック図である。
【図２】本発明のアクティブ光配線盤の構成の一例を示すブロック図である。
【図３】本発明の光通信システムの構成の一例を示す概念図である。
【図４】図３の一部を拡大して示す図である。
【図５】光通信システムの一部を示す概略構成図である。
【図６】光スイッチを示す概略図である。
【図７】光通信システムの一部を示す概略構成図である。
【図８】光通信システムを制御するためのＩＰネットワークのトポロジーの一例を示す概念図である。
【符号の説明】
【００５４】
１  アクティブ光ファイバネットワーク（光通信システム）
２  アクティブ光クロージャ
３  アクティブ光配線盤
４  光ファイバケーブル
５  光心線
６  監視制御装置
２０  光スイッチ
２１  光スイッチ制御部
３４  光試験部
【図１】
2005292447.tif 000003
【図２】
2005292447.tif 000004
【図３】
2005292447.tif 000005
【図４】
2005292447.tif 000006
【図５】
2005292447.tif 000007
【図６】
2005292447.tif 000008
【図８】
2005292447.tif 000009
【図７】
2005292447.tif 000010